(57)【要約】【課題】食器洗浄機の洗浄槽の底面に凹設した、洗浄槽内の水を吸引するポンプに連通している水溜り部の上部に装着される食器洗浄機用フィルタであって、フィルタ下面に溜まる空気によりフィルタが押し上げられることを有効に防止できるようにする。【解決手段】水溜り部の上部に着座する外周フランジ部１１１と、外周フランジ部１１１よりも下方に凹入する凹部１１２と、凹部１１２の一側方に隣接する、外周フランジ部１１１よりも上方に膨出する凸部１１３とを有し、凹部１１２と凸部１１３とに多数の小孔１１４を形成して成るフィルタ本体１１０と、凸部１１３の一部に開設した、小孔よりも大きな開口から上方にのび、上部に脱気孔１１６ａが形成された筒体１１６と、を備える。凹部１１２と凸部１１３との並設方向に直交する水平方向を前後方向として、凸部１１３の前後方向寸法は、凹部１１２の前後方向寸法と同等又はそれ以上に設定される。【選択図】図３
2010246666.tif 000002
【特許請求の範囲】
【請求項１】
食器洗浄機の洗浄槽の底面に凹設した、洗浄槽内の水を吸引するポンプに連通している水溜り部の上部に、洗浄槽内の水に含まれる残菜を捕集するために装着される食器洗浄機用のフィルタであって、
水溜り部の上部に着座する外周フランジ部と、外周フランジ部よりも下方に凹入する凹部と、凹部の一側方に隣接する、外周フランジ部よりも上方に膨出する凸部とを有し、凹部と凸部とに多数の小孔を形成して成るフィルタ本体と、
凸部の一部に開設した、小孔よりも大きな開口から上方にのび、上部に脱気孔が形成された筒体と、を備え、
凹部と凸部との並設方向に直交する水平方向を前後方向として、凸部の前後方向寸法は、凹部の前後方向寸法と同等又はそれ以上に設定されることを特徴とする食器洗浄機用フィルタ。
【発明の詳細な説明】
【技術分野】
【０００１】
本発明は、食器洗浄機の洗浄槽の底面に凹設した、洗浄槽内の水を吸引するポンプに連通している水溜り部の上部に装着される食器洗浄機用フィルタに関する。
【背景技術】
【０００２】
従来、この種の残菜フィルタは、水溜り部の上部に着座する外周フランジ部と、外周フランジ部よりも下方に凹入する、多数の小孔を形成した凹部とを有する皿状に形成されている。そして、洗浄槽内の水をポンプで吸引する際に、水に含まれる残菜がフィルタで捕集される。
【０００３】
ところで、フィルタの下方で空気の泡が発生した場合、フィルタの小孔が目詰まりしていると、泡が小孔を透過しにくくなって、フィルタの外周フランジ部の下面に空気が溜まることが多々ある。そして、外周フランジ部の下面に溜まる空気量がある限界を超えると、空気がフィルタを押し上げて上方に抜ける。空気が抜けるとフィルタは沈下するが、沈下するときにフィルタが位置ずれして、水溜り部のフィルタ装着部と外周フランジ部の一部との間に隙間が空き、この隙間から侵入した残菜がポンプに吸込まれて、ポンプの故障を生ずることがある。
【０００４】
そこで、従来、外周フランジ部の一部に切り欠き部を形成し、この切り欠き部に上方にのびる筒体を取り付け、フィルタの下面に溜まった空気を筒体の上部に形成した脱気孔から排出するようにしたフィルタも知られている（例えば、特許文献１参照）。
【０００５】
然し、このものでは、筒体の下端の高さと外周フランジ部の高さとが同一であるため、筒体から離れた外周フランジ部の部分の下面に溜まる空気は筒体に流入し難く、この空気でフィルタが押し上げられて、上記の不具合を生ずる可能性がある。
【先行技術文献】
【特許文献】
【０００６】
【特許文献１】特開平７−１１６１００号公報
【発明の概要】
【発明が解決しようとする課題】
【０００７】
本発明は、以上の点に鑑み、フィルタ下面に溜まる空気による押し上げを有効に防止できるようにした食器洗浄機用フィルタを提供することをその課題としている。
【課題を解決するための手段】
【０００８】
上記課題を解決するために、本発明は、食器洗浄機の洗浄槽の底面に凹設した、洗浄槽内の水を吸引するポンプに連通している水溜り部の上部に装着される食器洗浄機用のフィルタであって、水溜り部の上部に着座する外周フランジ部と、外周フランジ部よりも下方に凹入する凹部と、凹部の一側方に隣接する、外周フランジ部よりも上方に膨出する凸部とを有し、凹部と凸部とに多数の小孔を形成して成るフィルタ本体と、凸部の一部に開設した、小孔よりも大きな開口から上方にのび、上部に脱気孔が形成された筒体と、を備え、凹部と凸部との並設方向に直交する水平方向を前後方向として、凸部の前後方向寸法は、凹部の前後方向寸法と同等又はそれ以上に設定されることを特徴とする。
【０００９】
本発明によれば、凸部が外周フランジ部よりも上方に位置するため、凸部側の外周フランジ部の部分の下面に溜まる空気は凸部内に導入される。また、凸部の前後方向幅が凹部の前後方向幅と同等又はそれ以上であるため、凹部側の外周フランジ部の部分の下面に溜まる空気が前後両側の外周フランジ部の部分を伝って凸部内に導入され易くなる。従って、外周フランジ部の全周に亘りその下面に溜まる空気を凸部に導いて、筒体を介して排出することができ、空気によるフィルタの押し上げを有効に防止できる。
【００１０】
尚、凸部を形成せずに、凸部と同じ場所に凸部の面積と同じ断面積の筒体を立設することも可能であるが、これでは、残菜を捕集可能な部分が凹部だけになってしまう。これに対し、本発明では、凹部だけでなく、筒体の立設個所以外の凸部の部分でも残菜を捕集することができ、有利である。
【図面の簡単な説明】
【００１１】
【図１】本発明の実施形態のフィルタを具備する食器洗浄機器の模式的切断側面図。
【図２】図１のＩＩ−ＩＩ線で切断した拡大断面図。
【図３】実施形態のフィルタの斜視図。
【図４】他の実施形態のフィルタの平面図。
【発明を実施するための形態】
【００１２】
図１は食器洗浄機を示している。この食器洗浄機は、外装ケース１と、外装ケース１内の洗浄槽２とを備えており、この洗浄槽２内に給水弁３ａを介設した給水路３を介して水が供給される。洗浄槽２には、食器類Ｗを載置する食器カゴ２ａと、食器カゴ２ａに向けて洗浄水を噴射する洗浄ノズル４と、ヒータ５とが設けられている。
【００１３】
また、洗浄槽２の底部には、水溜り部６が凹設されている。そして、水溜り部６にこれに形成した孔部６ａを介して連通する洗浄・排水ポンプ７が設けられ、更に、水溜り部６に連通して洗浄槽２内の水位を検出するフロート式の水位センサ８が設けられている。
【００１４】
ここで、洗浄・排水ポンプ７を正転させると、洗浄水が洗浄ノズル４を介して洗浄槽２内に循環され、洗浄・排水ポンプ７を逆転させると、洗浄槽２内の洗浄水が排水路９を介して排水される。排水路９には、逆流防止のための逆Ｕ字状の立上り部９ａと、エア抜き部９ｂと、排水トラップ部９ｃと、逆止弁９ｄとが設けられている。また、外装ケース１内には、洗浄槽２内に乾燥用の空気を送風する乾燥ファン１０が設けられている。
【００１５】
食器洗浄機の運転スイッチをオンすると、先ず、洗浄槽２に所定水位になるまで給水され、この水に図外の洗剤供給手段から洗剤が混入されて洗浄水が生成される。そして、給水停止後、ヒータ５に通電すると共に洗浄・排水ポンプ７を正転させて、洗浄水を加熱しつつ洗浄ノズル４から噴射させ、所定時間の洗浄運転を行う。洗浄運転完了後は、洗浄・排水ポンプ７を逆転させて洗浄槽２内の洗浄水を排水し、次に、洗浄槽２に所定水位になるまで給水した後、洗浄・排水ポンプ７を正転させて洗浄ノズル４から水を噴射させ、所定時間のすすぎ運転を行う。すすぎ運転完了後は、洗浄・排水ポンプ７を逆転させて洗浄槽２内の水を排水し、次に、ヒータ５に通電すると共に乾燥ファン１０を駆動させて、所定時間の乾燥運転を行う。
【００１６】
水溜り部６の上部には、洗浄槽２内の水に含まれる残菜を捕集するフィルタ１１が装着されており、洗浄・排水ポンプ７に残菜が吸込まれないようにしている。フィルタ１１は、図２、図３に示す如く、水溜り部６の上部のロート状部６ｂに着座する外周フランジ部１１１と、外周フランジ部１１１よりも下方に凹入する凹部１１２と、凹部１１２の一側方に隣接する、外周フランジ部１１１よりも上方に膨出する凸部１１３とを有する平面視矩形のステンレス製のフィルタ本体１１０を備えている。尚、外周フランジ部１１１には、上方に膨出する補強用のリブ１１１ａが形成されている。
【００１７】
凹部１１２と凸部１１３との並設方向（フィルタ本体１１０の長手方向）に直交する水平方向を前後方向として、凸部１１３の前後方向寸法は、凹部１１２の前後方向寸法と同等に設定されている。そして、凹部１１２と凸部１１３に多数の小孔１１４を形成し、これら小孔１１４以上の大きさの残菜が凹部１１２及び凸部１１３で捕集されるようにしている。
【００１８】
凸部１１３の一部（本実施形態では前後方向中央部）には、小孔１１４よりも大きな開口１１５が開設されている。そして、フィルタ１１は、この開口１１５から上方にのびる樹脂製の筒体１１６を備えている。洗浄時の水位よりも上方に位置する筒体１１６の上部には、複数の脱気孔１１６ａが形成されている。筒体１１６は把手に兼用されており、筒体１１６を把持してフィルタ１１を取り外すことができる。
【００１９】
ここで、凸部１１３及び筒体１１６が無いと、フィルタ１１の下方で空気の泡が発生した場合、フィルタ１１の外周フランジ部１１１の下面に空気が溜まり、この空気量がある限界を超えると、空気がフィルタ１１を押し上げて上方に抜ける。空気が抜けるとフィルタ１１は沈下するが、沈下するときにフィルタ１１が位置ずれして、水溜り部６のロート状部６ｂと外周フランジ部１１１の一部との間に隙間が空き、この隙間から侵入した残菜が洗浄・排水ポンプ７に吸込まれて、洗浄・排水ポンプ７の故障を生ずることがある。
【００２０】
本実施形態のフィルタ１１によれば、凸部１１３が外周フランジ部１１１よりも上方に位置するため、凸部１１３側の外周フランジ部１１１の部分の下面に溜まる空気は凸部１１３内に導入される。また、凸部１１３の前後方向幅が凹部１１２の前後方向幅と同等であるため、凹部１１２側の外周フランジ部１１１の部分の下面に溜まる空気が前後両側の外周フランジ部１１１の部分を伝って凸部１１３内に導入され易くなる。従って、外周フランジ部１１１の全周に亘りその下面に溜まる空気を凸部１１３に導いて、筒体１１６を介して排出することができ、空気によるフィルタ１１の押し上げを有効に防止できる。
【００２１】
尚、凸部１１３を形成せずに、凸部１１３と同じ場所に凸部１１３の面積と同じ断面積の筒体を立設しても、上記実施形態と同様の空気抜き効果が得られる。然し、これでは、残菜を捕集可能な部分が凹部１１２だけになってしまう。これに対し、上記実施形態では、凹部１１２だけでなく、筒体１１６の立設個所以外の凸部１１３の部分でも残菜を捕集することができ、捕集可能面積が増加する利点がある。
【００２２】
また、上記実施形態では、凸部１１３の前後方向幅を凹部１１２の前後方向幅と同等にしているが、凸部１１３の前後方向幅を凹部１１２の前後方向幅より大きくし、例えば、図４に示す実施形態の如く、前後両側の外周フランジ部１１１，１１１に形成するリブ１１１ａ，１１１ａに跨るように凸部１１３を形成してもよい。これによれば、凹部１１２側の外周フランジ部１１１の部分の下面に溜まる空気がリブ１１１ａを介して凸部１１３に効率良く導入されるようになり、空気抜き効果が一層向上する。
【符号の説明】
【００２３】
２…洗浄槽、６…水溜り部、７…ポンプ、１１…フィルタ、１１０…フィルタ本体、１１１…外周フランジ部、１１２…凹部、１１３…凸部、１１４…小孔、１１５…開口、１１６…筒体、１１６ａ…脱気孔。
【図１】
2010246666.tif 000003
【図２】
2010246666.tif 000004
【図３】
2010246666.tif 000005
【図４】
2010246666.tif 000006